(57)【特許請求の範囲】
【請求項１】
軸部材に取付られた取付部材と、該取付部材と同心的に配設され、前記取付部材の前面に取付けされたツマミとを備え、
前記取付部材は、基部と、該基部から前方に突出し、同一円周上に設けられた複数個の弧状のガイド部と、隣り合う前記ガイド部の間に設けられた隙間部と、前記ガイド部の頂部に設けられ、前記基部に対して同一方向に傾斜したガイド面とを有すると共に、前記ツマミは、同一円周上に位置する複数個の突起部を有し、前記ツマミを前記取付部材に取付けする際、前記突起部を前記ガイド面に当接した状態で、前記ツマミを後方に押圧すると、前記突起部が前記ガイド面上にガイドされ、前記突起部が前記基部に近づくように前記ツマミ、或いは前記取付部材を回転させて、前記突起部が前記隙間部に位置した後、前記ツマミと前記取付部材とが結合可能としたことを特徴とするツマミの取付構造。
【請求項２】
前記ツマミの前記突起部が前記取付部材の隣り合う前記ガイド部の間に挟持されることを特徴とする請求項１記載のツマミの取付構造。
【請求項３】
前記取付部材には、前記隙間部間に位置する前記基部に貫通孔が設けられ、前記ツマミの前記突起部が前記貫通孔に嵌入したことを特徴とする請求項１、又は２記載のツマミの取付構造。
【請求項４】
前記ツマミの前記突起部が十字状の位置にそれぞれ配設されていることを特徴とする請求項１乃至３の何れか１項に記載のツマミの取付構造。
【請求項５】
前記取付部材の前記基部は、同一円周上に円環状の取付部を有し、前記ツマミは、同一円周上に配置された複数個の掛け止め部を有し、前記取付部材の前記取付部に前記ツマミの前記掛け止め部を掛け止めして、両者を結合したことを特徴とする請求項１乃至４の何れか１項に記載のツマミの取付構造。
【請求項６】
前記ツマミは、同一円周上に配置された複数個の押さえ部を有し、それぞれの該押さえ部は、前記ツマミの前記掛け止め部間に位置し、且つ、それぞれの該押さえ部は、前記取付部材の前記取付部上に当接されていることを特徴とする請求項５記載のツマミの取付構造。
【請求項７】
前記取付部材の前記取付部と前記ツマミの前記掛け止め部との掛け止め位置は、前記ツマミの前記突起部が前記取付部材の前記隙間部内に配設される位置よりも、径方向に対して外側に位置していることを特徴とする請求項５、又は６記載のツマミの取付構造。
【請求項８】
前記取付部材の前記基部は、前面壁と、該前面壁の周囲から後方に延びる筒状の側壁部とを有し、前記前面壁には、前方に突出する前記ガイド部が設けられ、前記ツマミは、前面壁と、該前面壁の周囲から後方に延びる筒状の側壁とを有し、前記ツマミの前記前面壁には、前記筒状の側壁内に位置した状態で、後方に突出する前記突起部が取り付けられ、前記取付部材の前記側壁部を前記ツマミの前記側壁内に位置させたことを特徴とする請求項１乃至７の何れか１項に記載のツマミの取付構造。
【請求項９】
回転可能な前記軸部材を有する回転駆動部材を備え、前記軸部材に前記取付部材が取り付けられ、前記ツマミの取付けの際、前記軸部材と共に前記取付部材が回転するようにしたことを特徴とする請求項１乃至８の何れか１項に記載のツマミの取付構造。
【請求項１０】
前記回転駆動部材がモータにて構成されていることを特徴とする請求項９記載のツマミの取付構造。
【発明の詳細な説明】
【０００１】
【発明の属する技術分野】
本発明は、特に、モータ等の回転駆動部材の軸部材に取り付けて好適なツマミの取付構造に関する。
【０００２】
【従来の技術】
従来のツマミの取付構造の図面を説明すると、図３は、従来のツマミの取付構造を示す分解斜視図である。
【０００３】
電動のモータから成る回転駆動部材５１は、略円筒状の本体部５１ａと、本体部１ａの先端部から外方に突出して配設された回転軸などの円柱状の軸部材５１ｂとを有している。この軸部材５１ｂは、本体部５１ａに図示していない端子から通電することによって、所定の回転をし、また、本体部５１ａへの非通電時にも軸部材５１ｂは、時計方向、又は、反時計方向に容易に回転をすることができるように構成されている。
【０００４】
合成樹脂材料から成り、成形加工によって形成された取付部材５２は、基部５３と、基部５３の中心から同一円周上に設けられた円環状の第１の取付部５４と、第１の取付部５４と同心円上で、第１の取付部５４より径寸法が大きい第２の取付部５５とを有している。また、前記第１の取付部５４と第２の取付部５５とは、基部５３の中心軸から外方に突出された鍔状に形成されている。
【０００５】
また、前記基部５３は、略平坦面であるように形成された前面壁５３ａと、該前面壁５３ａの周囲から後方に延びる筒状の側壁部５３ｂとを有している。また、前記円環状の第１の取付部５４と第２の取付部５５とは、筒状の側壁部５３ｂの後端から外方に突出して配設されている。
【０００６】
また、前記基部５３の前記前面壁５３ａは、前記前面壁５３ａの中心に位置する円形の貫通孔５３ｃとを有している。
また、金属材料から成り、インサート成形加工によって一体化された円筒部材５３ｄが、貫通孔５３ｃ内に配設されている。
【０００７】
前記円筒部材５３ｄ内には、回転駆動部材５１の軸部材５１ｂが挿入され、例えば、ネジ（図示せず）止めなどの適宜手段にて、前記円筒部材５３ｄが軸部材５１ｂに取り付けられ、この取り付けによって、取付部材５２が軸部材５１ｂと一体化された状態となり、取付部材５２が軸部材５１ｂと共に回転可能となっている。
【０００８】
合成樹脂材料から成り、成形加工によって形成されたツマミ５６は、円板形の前面壁５６ａと、前面壁５６ａの周囲から後方に延びる筒状の側壁５６ｂと、筒状の側壁５６ｂ内で内方に突出し、同一円周上に位置する複数個（例えば、４個）の掛け止め部５７と、筒状の側壁５６ｂ内で内方に突出し、同一円周上に位置する複数個（例えば、４個）の押さえ部５８とを有している。また、掛け止め部５７と押さえ部５８とは同一円周上に位置している。
【０００９】
このツマミ５６は、前記取付部材５２上を同心的に覆うように取付部材５２の前面に配設された状態で、ツマミ５６の各掛け止め部５７が、円環状の第１の取付部５４に掛け止めされ、且つ、各押さえ部５８が、第２の取付部５５上に当接されて、ツマミ５６と取付部材５２とが結合されている。
そして、この結合によって、取付部材５２の側壁部５３ｂがツマミ５６の側壁５６ｂ内に位置するように配置されている。
【００１０】
次に、上述の従来のツマミの取付構造に係わる組立について説明する。
先ず、回転駆動部材５１の軸部材５１ｂには、取付部材５２と一体化された円筒部材５３ｄを取り付ける。
【００１１】
次に、取付部材５２の前面壁５３ａ上には、ツマミ５６の前面壁５６ａが被さるように対向して配設し、取付部材５２の側壁部５３ｂがツマミ５６の側壁５６ｂ内に位置するように配設されている。
この状態から、ツマミ５６を軸部材５１ｂの軸線方向に押圧すると、掛け止め部５７が第１の取付部５４の頂部を乗り越えて、第１の取付部５４に掛け止めされ、且つ、押さえ部５８が第２の取付部５５上に当接されて配設される。
【００１２】
この掛け止め部５７の第１の取付部５４への掛け止めと、押さえ部５８の第２の取付部５５上への当接によって、ツマミ５６が取付部材５２上に取り付けられる。
【００１３】
【発明が解決しようとする課題】
しかしながら、上述のツマミの取付構造では、ツマミ５６を取付部材５２に押し込んで取り付けする際に、ツマミ５６が取付部材５２に対して傾斜した状態で押し込まれると、取付部材５２が回転し易い軸部材５１ｂに取り付けられていることから、取付部材５２が容易に回転して、取付部材５２がぐらつき、ツマミ５６が取り付け辛く、且つ、ツマミ５６のそれぞれの掛け止めが同時にできず、取り付け難いという問題がある。
また、ツマミ５６が取付部材５２に掛け止めされているのみの状態で取り付けされ、このことから、ツマミ５６が取付部材５２に対して空転するという問題がある。
【００１４】
本発明のツマミの取付構造は、上述の問題点を解決し、その目的は、ツマミの取付部材への取り付けが容易であるツマミの取付構造を提供することにある。
【００１５】
【課題を解決するための手段】
本発明のツマミの取付構造は、軸部材に取付られた取付部材と、該取付部材と同心的に配設され、取付部材の前面に取付けされたツマミとを備え、取付部材は、基部と、該基部から前方に突出し、同一円周上に設けられた複数個の弧状のガイド部と、隣り合う前記ガイド部の間に設けられた隙間部と、ガイド部の頂部に設けられ、基部に対して同一方向に傾斜したガイド面とを有すると共に、ツマミは、同一円周上に位置する複数個の突起部を有し、ツマミを取付部材に取付けする際、突起部をガイド面に当接した状態で、ツマミを後方に押圧すると、突起部がガイド面上にガイドされ、突起部が基部に近づくようにツマミ、或いは取付部材を回転させて、突起部が隙間部に位置した後、ツマミと取付部材とが結合可能としたことである。
かかる構成によって、ツマミが取付部材に容易で確実に位置決めされることから取り付けが簡単であり、また、ツマミが取付部材に対して傾斜した状態で押し込まれても、突起部がガイド部によって、正常な状態でツマミを維持した状態で、ツマミと取付部材とが確実に結合できるツマミの取付構造を提供できる。
また、ガイド面の傾斜が同一方向であることから、構成が簡単で安価なツマミの取付構造を提供できる。
【００１６】
また、本発明のツマミの取付構造は、ツマミの突起部が取付部材の隣り合うガイド部の間に挟持されることである。
かかる構成によって、ツマミの取付部材に対する位置決めが容易で、組立が簡単で安価で、ツマミの空転がないツマミの取付構造を提供できる。
【００１７】
また、本発明のツマミの取付構造では、取付部材には、隙間部間に位置する基部に貫通孔が設けられ、ツマミの突起部が貫通孔に嵌入したことである。
かかる構成によって、ツマミの位置決めが一層確実で、且つ、容易で、組立が簡単で安価で、ツマミの空転がなく、且つ、ガタツキのないツマミの取付構造を提供できる。
【００１８】
また、本発明のツマミの取付構造は、ツマミの突起部が十字状の位置にそれぞれ配設されていることである。
かかる構成によって、突起部がバランス良く配置されていることから、ツマミの取付部材への取り付けが安定し、確実な取り付けができるツマミの取付構造を提供できる。
【００２０】
また、本発明のツマミの取付構造では、取付部材の基部は、同一円周上に円環状の取付部を有し、ツマミは、同一円周上に配置された複数個の掛け止め部を有し、取付部材の取付部にツマミの掛け止め部を掛け止めして、両者を結合したことである。
かかる構成によって、ツマミの取付部材への取り付けが容易で、確実な取り付けができるツマミの取付構造を提供できる。
【００２１】
また、本発明のツマミの取付構造では、ツマミは、同一円周上に配置された複数個の押さえ部を有し、それぞれの該押さえ部は、ツマミの掛け止め部間に位置し、且つ、それぞれの該押さえ部は、取付部材の取付部上に当接されていることである。
かかる構成によって、押さえ部によってツマミが取付部材の取付部上に当接されているので、ツマミが安定して取付部材に取り付けできるツマミの取付構造を提供できる。
【００２２】
また、本発明のツマミの取付構造では、取付部材の取付部とツマミの掛け止め部との掛け止め位置は、ツマミの突起部が取付部材の隙間部内に配設される位置よりも、径方向に対して外側に位置していることである。
かかる構成によって、ツマミの突起部よりも大きな径である位置でツマミが取付部材に掛け止めされていることから安定した掛け止めができるツマミの取付構造を提供する。
【００２３】
また、本発明のツマミの取付構造では、取付部材の基部は、前面壁と、該前面壁の周囲から後方に延びる筒状の側壁部とを有し、前面壁には、前方に突出するガイド部が設けられ、ツマミは、前面壁と、該前面壁の周囲から後方に延びる筒状の側壁とを有し、ツマミの前面壁には、筒状の側壁内に位置した状態で、後方に突出する突起部が取り付けられ、取付部材の側壁部をツマミの側壁内に位置させたことである。
かかる構成によって、取付部材へのツマミの位置決めが容易で、優れた組立性を有するツマミの取付構造を提供することが出来る。
【００２４】
また、本発明のツマミの取付構造は、回転可能な軸部材を有する回転駆動部材を備え、軸部材に取付部材が取り付けられ、ツマミの取付けの際、軸部材と共に取付部材が回転するようにしたことである。
かかる構成によって、回転する軸部材に取り付けられた取付部材へのツマミの取付が容易にでき、ツマミの押込み動作で取付部材への正常な結合ができるツマミの取付構造を提供できる。
【００２５】
また、本発明のツマミの取付構造は、回転駆動部材がモータにて構成されていることである。
かかる構成によって、単純な構成であるモータを用いることができることから安価なツマミの取付構造を提供できる。
【００２６】
【発明の実施の形態】
以下、本発明のツマミの取付構造の図面を説明すると、図１は、本発明のツマミの取付構造の実施の形態を示す分解斜視図、図２は、本発明のツマミの取付構造に係わるツマミと取付部材とを示す断面図である。
【００２７】
電動のモータから成る回転駆動部材１は、略円筒状の本体部１ａと、動本体部１ａの先端部から外方に突出して配設された回転軸などの円柱状の軸部材１ｂとを有している。この軸部材１ｂは、本体部１ａに図示していない端子から通電することによって、所定の回転をし、また、本体部１ａへの非通電時にも軸部材１ｂは、時計方向、又は、反時計方向に容易に回転をすることができるように構成されている。
【００２８】
合成樹脂材料から成り、成形加工によって形成された取付部材２は、基部３と、基部３から前方に突出し、基部３の中心から同一円周上に設けられた複数個（例えば、８個）の弧状のガイド部４と、隣り合うガイド部４の間にそれぞれ設けられた複数個（例えば、８個）の隙間部５と、前記ガイド部４の頂部に設けられたガイド面４ａと、基部３の中心から同一円周上に設けられた円環状の第１の取付部６と、第１の取付部６と同心円上で、第１の取付部６より径寸法が大きい第２の取付部６ａとを有している。また、前記第１の取付部６と第２の取付部６ａとは、基部３の中心軸から外方に突出された鍔状に形成されている。
【００２９】
また、前記基部３は、略平坦面であるように形成された前面壁３ａと、該前面壁３ａの周囲から後方に末広がりに延びる筒状の側壁部３ｂとを有し、前記前面壁３ａには、前方に突出する前記複数個の弧状のガイド部４が取り付けられている。また、前記円環状の第１の取付部６と第２の取付部６ａとは、筒状の側壁部３ｂの後端から外方に突出して配設されている。
【００３０】
また、前記ガイド部４のガイド面４ａは、前記基部３の前面壁３ａに対して同一方向に傾斜して形成されている。
また、前記基部３の前記前面壁３ａは、前記隙間部５間に位置する矩形の複数個（例えば、８個）の第１の貫通孔３ｃと、前記前面壁３ａの中心に位置する円形の第２の貫通孔３ｄとを有している。
また、金属材料から成り、インサート成形加工によって一体化された円筒部材３ｅが、第２の貫通孔３ｄ内に配設されている。
【００３１】
前記円筒部材３ｅ内には、回転駆動部材１の軸部材１ｂが挿入され、例えば、ネジ（図示せず）止めなどの適宜手段にて、前記円筒部材３ｅが軸部材１ｂに取り付けられて、この取り付けによって、取付部材２が軸部材１ｂと一体化された状態となり、取付部材２が軸部材１ｂと共に回転可能となっている。
【００３２】
合成樹脂材料から成り、成形加工によって形成されたツマミ７は、円形の前面壁７ａと、前面壁７ａの周囲から後方に末広がりに延びる筒状の側壁７ｂと、前面壁７ａの筒状の側壁７ｂ内に位置した状態で、後方（内方）に突出し、同一円周上に位置する複数個（例えば、４個）の突起部８と、筒状の側壁７ｂ内で内方に突出し、同一円周上に位置する複数個（例えば、４個）の掛け止め部９と、筒状の側壁７ｂ内で内方に突出し、同一円周上に位置する複数個（例えば、４個）の押さえ部１０とを有している。また、掛け止め部９と押さえ部１０とは同一円周上に位置していると共に、押さえ部１０が掛け止め部９間に配置されている。
【００３３】
また、複数個（例えば、４個）の突起部８は、十字状の位置にそれぞれ配置され、即ち、９０度の等間隔に配置され、この突起部８は、全体がＬ字状で、その頂部８ａが円弧状に形成されている。
また、複数個（例えば、４個）の掛け止め部９は、前記突起部８の配設されている位置よりも、径方向に対して外側に位置し、且つ、前記突起部８の配設されている位置と一直線上に配設され、十字状に配設されている。
【００３４】
また、複数個（例えば、４個）の押さえ部１０は、前記突起部８の配設されている位置よりも、径方向に対して外側に位置し、且つ、前記掛け止め部９間の中間の位置し、十字状に配設されている。
【００３５】
このツマミ７は、前記取付部材２上を同心的に覆うように取付部材２の前面に配置された状態で、ツマミ７の各突起部８が、取付部材２の各隙間部５に位置し、突起部８の頂部８ａが第１の貫通孔３ｃ内に嵌入されている。
また、ツマミ７の各掛け止め部９が、円環状の第１の取付部６に掛け止めされ、且つ、各押さえ部１０が、第２の取付部６ａ上に当接されて、ツマミ７と取付部材２とが結合されている。
【００３６】
そして、この結合によって、取付部材２の側壁部３ｂをツマミ７の側壁７ｂ内に位置するように配置されている。
【００３７】
次に、上述の本発明のツマミの取付構造に係わる組立について説明する。
先ず、回転駆動部材１の軸部材１ｂには、取付部材２と一体化された円筒部材３ｅを取り付ける。
【００３８】
次に、取付部材２の各ガイド部４のガイド面４ａ上には、ツマミ７の前面壁７ａの後方（内方）に突出した各突起部８の頂部８ａを当接する。これによって、ツマミ７は、取付部材２に対して正常な状態に位置規制が行われる。
次に、ツマミ７を軸部材１ｂの軸線方向に押圧すると、突起部８の頂部８ａが傾斜しているガイド面４ａ上にガイドされて押圧されることによって、取付部材２が例えば、時計方向に回動し、頂部８ａが取付部材２の隙間部５の位置に移動する。即ち、このツマミ７の軸線方向への押圧によって、軸部材１ｂが回転することになる。
【００３９】
そして、この軸部材１ｂ、及び取付部材２の回動によって、ツマミ７が軸線方向に移動し、各突起部８が隙間部５内に挟持されるように位置し、且つ、頂部８ａが隙間部５間に位置する第１の貫通孔３ｃ内に嵌入されて配置される。
【００４０】
そして、この突起部８の第１の貫通孔３ｃへの嵌入と同時に、ツマミ７の各掛け止め部９が取付部材２の第１の取付部６に掛け止めされ、且つ、押さえ部１０が第２の取付部６ａ上に当接されている。
この第１の取付部６への各掛け止め部９の掛け止めと、第１の貫通孔３ｃ内への突起部８の頂部８ａの嵌入とによって、ツマミ７と取付部材２とが結合される。
【００４１】
なお、上述の実施例では、隙間部間に位置する基部に貫通孔が設けられているが、貫通孔は、無くても良い。
また、上述の実施例では、ツマミの突起部が十字状の位置に配設されているが、これに限定されず、ひとつ、又は、ふたつ以上の突起部が所定の位置に配設されていれば良い。
【００４２】
また、上述の実施例では、取付部材のガイド部のガイド面を、基部に対して同一方向に傾斜させたが、これに限定されず、例えば、各ガイド面を交互に異なる方向に傾斜させてもよい。
また、上述の実施例では、軸部材を有する回転駆動部材がモータにて構成されたが、これに限定されず、回転駆動部材は、回転型の機構部品や電気部品であればよい。
【００４３】
【発明の効果】
以上のように本発明のツマミの取付構造では、取付部材は、基部と、該基部から前方に突出した複数個のガイド部と、隣り合うガイド部の間に設けられた隙間部と、ガイド部の頂部に設けられ、基部に対して傾斜したガイド面とを有すると共に、ツマミは、複数個の突起部を有し、ツマミを取付部材に取付けする際、突起部をガイド面に当接した状態で、ツマミを後方に押圧すると、突起部がガイド面上にガイドされ、突起部が基部に近づくようにツマミ、或いは取付部材を回転させて、突起部が隙間部に位置した後、ツマミと取付部材とが結合可能としたことによって、ツマミが取付部材に容易で確実に位置決めされることから、取り付けが簡単であるツマミの取付構造を提供できる。
【００４４】
また、本発明のツマミの取付構造では、取付部材には、隙間部間に位置する基部に貫通孔が設けられ、ツマミの突起部が貫通孔に嵌入したことによって、ツマミの位置決めが一層確実で、且つ、容易で、組立が簡単で安価で、ツマミの空転がなく、且つ、ガタツキのないツマミの取付構造を提供できる。
【００４５】
また、本発明のツマミの取付構造では、取付部材の複数個のそれぞれのガイド部の頂部には、基部に対して同一方向に傾斜したガイド面が形成されたことによって、ガイド面の傾斜が同一方向であることから、構成が簡単で安価なツマミの取付構造を提供できる。
【図面の簡単な説明】
【図１】本発明のツマミの取付構造の実施の形態を示す分解斜視図である。
【図２】本発明のツマミの取付構造に係わるツマミと取付部材とを示す断面図である。
【図３】従来のツマミの取付構造を示す分解斜視図である。
【符号の説明】
１    回転駆動部材
１ｂ  軸部材
２    取付部材
３    基部
３ａ  前面壁
３ｂ  側壁部
３ｃ  第１の貫通孔（貫通孔）
４    ガイド部
４ａ  ガイド面
５    隙間部
６    第１の取付部（取付部）
７    ツマミ
７ａ  前面壁
７ｂ  側壁
８    突起部
８ａ  頂部
９    掛け止め部
１０  押さえ部
【図１】
0003850676.tif 000002
【図２】
0003850676.tif 000003
【図３】
0003850676.tif 000004